(57)【要約】  表示設定の中でγ特性を最適化可能とし、より高品位でユーザの好みに即した表示を行うことが可能な携帯電話端末を提供することを目的とする。  携帯電話端末１のＣＰＵ１３では、表示する画像を選択すると、表示設定をマニュアル設定で行うのか、自動設定で行うのかを判断する。ＣＰＵ１３は表示設定を自動設定で行うと判断すると、選択された画像を画像認識ソフトウェア等を実行することで認識し、画像認識結果に対応するγ特性の設定内容をγ特性設定テーブル２０から読出す。ＣＰＵ１３は表示設定をマニュアル設定で行うと判断すると、指定画面で指定された画像パターンに対応するγ特性の設定内容をγ特性設定テーブル２０から読出す。ＣＰＵ１３は選択された画像をγ特性設定テーブルから読出した設定内容に基づいて表示デバイス１８に表示するよう表示デバイスドライバ１７を制御する。
2007099944.tif 000002
【特許請求の範囲】
【請求項１】
表示デバイスに少なくとも文字情報と画像情報とを表示可能な携帯電話端末であって、  前記表示デバイスに表示するデータの種別に応じてγ特性を設定する設定手段を有することを特徴とする携帯電話端末。
【請求項２】
前記γ特性の自動設定モード時に前記データの種別を判別する判別手段を含み、
前記設定手段は、前記判別手段で判別されたデータの種別に応じて前記γ特性を設定することを特徴とする請求項１に記載の携帯電話端末。
【請求項３】
ユーザによる前記γ特性のカスタマイズ設定時に前記表示デバイスに表示するデータの種別を指定させるための指定画面を表示する手段を含み、
前記設定手段は、前記指定画面で指定されたデータの種別に応じて前記γ特性を設定することを特徴とする請求項１または請求項２記載の携帯電話端末。
【請求項４】
前記設定手段は、階層化されたメニュー構成において、選択されたメニュー項目に応じて前記γ特性を設定することを特徴とする請求項１に記載の携帯電話端末。
【請求項５】
前記設定手段は、前記表示デバイスの表示画面を複数に分割して前記データを表示する場合に、前記複数の表示画面各々に表示されるデータの種別に応じて前記γ特性を設定することを特徴とする請求項１に記載の携帯電話端末。
【請求項６】
前記設定手段は、前記文字情報と前記画像情報とを混在して表示する場合に前記文字情報と前記画像情報とを認識し、それぞれの表示エリア毎に前記γ特性を設定することを特徴とする請求項１に記載の携帯電話端末。
【請求項７】
前記表示デバイスの内部及び外部のいずれかに設けられかつ外光の照度情報を検知する照度センサを含み、
前記設定手段は、前記照度センサにて検知された前記外光の照度情報に対応して前記γ特性を設定することを特徴とする請求項１に記載の携帯電話端末。
【請求項８】
前記設定手段は、前記データのＲ，Ｇ，Ｂそれぞれ独立または一括で前記γ特性を設定することを特徴とする請求項１に記載の携帯電話端末。
【請求項９】
表示デバイスに少なくとも文字情報と画像情報とを表示可能な携帯電話端末に用いる画面表示制御方法であって、
前記携帯電話端末及び前記表示デバイスのドライバのいずれかが、前記表示デバイスに表示するデータの種別に応じてγ特性を設定する設定処理を実行することを特徴とする画面表示制御方法。
【請求項１０】
前記携帯電話端末が、前記γ特性の自動設定モード時に前記データの種別を判別する判別処理を実行し、
前記設定処理において、前記判別処理で判別されたデータの種別に応じて前記γ特性を設定することを特徴とする請求項９に記載の画面表示制御方法。
【請求項１１】
前記携帯電話端末が、ユーザによる前記γ特性のカスタマイズ設定時に前記表示デバイスに表示するデータの種別を指定させるための指定画面を表示する処理を実行し、
前記設定処理において、前記指定画面で指定されたデータの種別に応じて前記γ特性を設定することを特徴とする請求項９に記載の画面表示制御方法。
【請求項１２】
前記設定処理において、階層化されたメニュー構成において、選択されたメニュー項目に応じて前記γ特性を設定することを特徴とする請求項９に記載の画面表示制御方法。
【請求項１３】
前記設定処理において、前記表示デバイスの表示画面を複数に分割して前記データを表示する場合に、前記複数の表示画面各々に表示されるデータの種別に応じて前記γ特性を設定することを特徴とする請求項９に記載の画面表示制御方法。
【請求項１４】
前記設定処理において、前記文字情報と前記画像情報とを混在して表示する場合に前記文字情報と前記画像情報とを認識し、それぞれの表示エリア毎に前記γ特性を設定することを特徴とする請求項９に記載の画面表示制御方法。
【請求項１５】
前記携帯電話端末に、前記表示デバイスの内部及び外部のいずれかに設けられかつ外光の照度情報を検知する照度センサを設け、
前記設定処理において、前記照度センサにて検知された前記外光の照度情報に対応して前記γ特性を設定することを特徴とする請求項９に記載の画面表示制御方法。
【請求項１６】
前記設定処理において、前記データのＲ，Ｇ，Ｂそれぞれ独立または一括で前記γ特性を設定することを特徴とする請求項９に記載の画面表示制御方法。
【請求項１７】
表示デバイスに少なくとも文字情報と画像情報とを表示可能な携帯電話端末に用いる画面表示制御方法のプログラムであって、
コンピュータに、前記表示デバイスに表示するデータの種別に応じてγ特性を設定する設定処理を実行させるためのプログラム。
【発明の詳細な説明】
【技術分野】
【０００１】
本発明は携帯電話端末及びそれに用いる画面表示制御方法並びにそのプログラムに関し、特に携帯電話端末の画面に表示する画像のγ特性の設定に関する。
【背景技術】
【０００２】
携帯電話端末においては、通話だけでなく、電子メール、カメラ撮影、ブラウジング等、搭載する機能が増加の一途をたどり、その画面（表示デバイス）に表示される表示画像も多様化している。これに対して、携帯電話端末の表示機能に対するユーザニーズはより高品位が要求されてきている。【０００３】
しかしながら、従来の携帯電話端末では、電子メール等の文字情報、カメラ撮影による人物表示画像や風景表示画像、ブラウジングされた文字や画像の混在表示画像等の多彩な画像に対して、表示機能として一つの表示設定にしか対応しておらず、γ特性も差し障りのないレベルで共通の表示設定が割り当てられているだけである。【０００４】
また、従来の携帯情報端末としては、画像情報から輝度情報を検出し、その検出した輝度情報に応じて画像情報の階調を調整することで、ユーザが容易に視認することができる画像表示を実現する方法が提案されている（例えば、特許文献１参照）。
【特許文献１】特開２００３−０５１９６７号公報
【発明の開示】
【発明が解決しようとする課題】
【０００５】
しかしながら、上述した従来の携帯電話端末では、表示機能として一つの表示設定にしか対応しておらず、γ特性も差し障りのないレベルで共通の表示設定が割り当てられているため、多彩な表示画像に対して、表示性能に課題がある。また、明るい画像、赤味の画像、メリハリのある画像等、ユーザによって好みが多様化しており、表示設定をカスタマイズすることも、課題の一つとなっている。【０００６】
つまり、従来の携帯電話端末の表示機能として、表示デバイスのγ特性は、一つのデバイスに対して一つの表示設定しか有してなく、文字画像、人物画像、風景画像等に対して、差し障りの無いレベルで共通の表示設定を割り当てているため、多彩な表示画像に対して最適値が設定できず、表示性能に課題がある。また、ユーザの好みによって、表示設定をカスタマイズすることもできず、ユーザのニーズを満足させることができない。【０００７】
上記の特許文献１に記載の技術では、携帯電話機の表示部として用いられるカラータイプのＬＣＤに表示される画像の視認性を高めることを目的としており、文字画像、人物画像、風景画像等の多彩な表示画像に対する表示設定の問題を解決することはできない。【０００８】
そこで、本発明の目的は上記の問題点を解消し、表示する画像によって表示設定の中でγ特性を最適化することができ、より高品位でユーザの好みに即した表示を行うことができる携帯電話端末及びそれに用いる画面表示制御方法並びにそのプログラムを提供することにある。
【課題を解決するための手段】
【０００９】
本発明による携帯電話端末は、表示デバイスに少なくとも文字情報と画像情報とを表示可能な携帯電話端末であって、
前記表示デバイスに表示するデータの種別に応じてγ特性を設定する設定手段を備えている。【００１０】
本発明による画面表示制御方法は、表示デバイスに少なくとも文字情報と画像情報とを表示可能な携帯電話端末に用いる画面表示制御方法であって、
前記携帯電話端末及び前記表示デバイスのドライバのいずれかが、前記表示デバイスに表示するデータの種別に応じてγ特性を設定する設定処理を実行している。【００１１】
本発明による画面表示制御方法のプログラムは、表示デバイスに少なくとも文字情報と画像情報とを表示可能な携帯電話端末に用いる画面表示制御方法のプログラムであって、  コンピュータに、前記表示デバイスに表示するデータの種別に応じてγ特性を設定する設定処理を実行させている。【００１２】
すなわち、本発明の携帯電話端末は、表示する画像データ（文字情報や人物画像、風景画像等）によって、γ特性の設定値を選択可能とする表示設定機能を設け、表示設定機能がそのγ特性の設定を行う際に、表示する画像データによる自動設定とユーザによるカスタマイズ設定とを備えている。【００１３】
これによって、本発明の携帯電話端末では、表示する画像によって、γ特性を最適値に設定することが可能となり、より高品位でユーザの好みに即した表示を実現することが可能となる。【００１４】
より具体的に説明すると、本発明の携帯電話端末では、画面に表示される電子メール等の文字情報、カメラ画像の人物表示画像、風景表示画像、ブラウジングされた文字や画像の混在表示画像等、多彩な画像に対し、予め準備していたγ特性に自動あるいはユーザ選択によって、設定値を最適化することで、より高品位でユーザの好みに即した表示性能を実現している。【００１５】
また、本発明の携帯電話端末では、表示画面を複数に分割し、分割されたそれぞれの表示画面に最適なγ特性を設定するように実施することも可能である。さらに、本発明の携帯電話端末では、屋外使用時等の環境に対しても、予め準備していたγ特性に対して自動設定あるいはユーザ選択によって、設定値をカスタマイズ化することも可能である。【００１６】
上記のように、本発明の携帯電話端末では、表示する画像によって、γ特性を最適値に設定することで、より高品位な表示性能を実現することが可能となる。また、本発明の携帯電話端末では、表示する画像の表示設定をユーザがカスタマイズすることで、ユーザの好みに即した表示品位を実現することが可能となる。さらに、本発明の携帯電話端末では、使用環境に対して、表示する画像によって、γ特性を最適値に設定することで、より高品位な表示性能を有することが可能となる。
【発明の効果】
【００１７】
本発明は、上記のような構成及び動作とすることで、表示する画像によって表示設定の中でもγ特性を最適化することができ、より高品位でユーザの好みに即した表示を行うことができるという効果が得られる。
【発明を実施するための最良の形態】
【００１８】
次に、本発明の実施例について図面を参照して説明する。図１は本発明の第１の実施例による携帯電話端末の構成を示すブロック図である。図１において、携帯電話端末１はアンテナ１１と、無線通信部１２と、ＣＰＵ（中央処理装置）１３と、カメラ（撮像素子）１４と、操作部１５と、メモリ１６と、表示デバイスドライバ１７と、表示デバイス１８と、画像メモリ１９と、γ特性設定テーブル２０とから構成されている。【００１９】
無線通信部１２には、通常の音声通話等を行うためのアンテナ１１が接続されており、通常の音声通話等を行うため基地局（図示せず）との通信のやりとりを行う。操作部１５はダイヤルキーや十字キー等の各種キーからなっている。メモリ１６は設定情報、内部情報（例えば、電話帳等）の情報やＣＰＵ１３が実行するプログラム等を蓄積している。尚、メモリ１６には表示画像データを認識する画像認識ソフトウェア等も蓄積されている。【００２０】
表示デバイス１８は画像メモリ１９に展開された文字情報や人物画像、風景画像、あるいは文字と画像の混在画像を表示デバイスドライバ１７の制御及び駆動によって表示するＬＣＤ（Ｌｉｑｕｉｄ  Ｃｒｙｓｔａｌ  Ｄｉｓｐｌａｙ）等のデバイスである。γ特性設定テーブル２０には上記の画像認識ソフトウェア等で認識された画像パターンに対するγ特性が予め格納されている。【００２１】
このγ特性の設定は、表示する画像パターンによる自動設定と、ユーザによるカスタマイズが可能なマニュアル設定とのどちらか一方あるいは両方を備え、それぞれ、Ｒ，Ｇ，Ｂ独立でも、またＲ，Ｇ，Ｂ一括でも設定できるように構成されている。また、携帯電話端末１は表示デバイス１８の表示画面を複数に分割し、それぞれの表示画面に最適なγ特性を設定するようにそれぞれの機能を分割処理できるように構成してもよい。【００２２】
図２は図１のγ特性設定テーブル２０の構成を示す図である。図２において、γ特性設定テーブル２０には画像パターンとγ特性設定値とが格納されている。例えば、γ特性設定テーブル２０においては、画像パターンが「文字情報」の場合に、γ特性設定値として「文字と背景とをはっきり区別させるγ特性」が格納されている。また、γ特性設定テーブル２０においては、画像パターンが「人物画像」の場合に、γ特性設定値として「肌の色等の色合いを最適化させたγ特性」が格納されている。【００２３】
γ特性は、階調に対する輝度を示した特性で、横軸に階調、縦軸に輝度を示すと単純な右上がりの直線だけでなく、Ｓ字曲線にしたりし、表示する画像パターンによって、細かい部分を微調整している。このγ特性はＲ、Ｇ、Ｂ独立で設定することができ、表示デバイス特有の色合い、階調特性も補正している場合もある。【００２４】
したがって、上記のγ特性設定値としては、具体的に説明すると、電子メール等の文字情報に対して、文字の視認性を向上させるため、文字と背景とがはっきりするようなＳ字曲線に近いγ特性に設定し、人物画像では中間階調を忠実に再現するとともに、肌の色等の色合いも綺麗に表示できるようなγ特性に設定している。【００２５】
図３は本発明の第１の実施例による携帯電話端末１におけるγ特性設定処理を示すフローチャートであり、図４は図３に示すフローにおいてγ特性をマニュアル設定する場合の画像種別の指定画面を示す図である。これら図１〜図４を参照して本発明の第１の実施例による携帯電話端末１におけるγ特性設定処理について説明する。尚、図３に示す処理は携帯電話端末１のＣＰＵ１３がメモリ１６に蓄積されたプログラムを実行することで実現される。【００２６】
本発明の第１の実施例による携帯電話端末１に画像を表示させる場合、表示画像データの認識から、認識された画像パターンに対するγ特性を設定し、設定したγ特性を表示させるまでの流れについて、順を追って説明する。【００２７】
まず、表示画像データの認識について説明する。携帯電話端末１に表示される画像としては、電子メール等の文字情報、カメラ画像の人物表示画像、風景表示画像、ブラウジングされた文字や画像の混在表示画像等の多彩な画像がある。本実施例では、これら多彩な画像を、ＣＰＵ１３によって表示画像がどのような画像であるかを認識させている。【００２８】
携帯電話端末１の動作は、メニューで大分類から小分類まで階層化されて構成されているが、各メニュー項目によって、表示する内容がほとんど決まっているため、ある程度はそれぞれの表示画像を想定することが可能であり、メニュー項目の選択時点で数種類の画像パターンに分類することができる。【００２９】
例えば、電子メールであれば、大半が文字情報であり、文字の画像パターンとなり、カメラ１４であれば、撮影画像が大半となり、何らかの画像パターンとなる。しかしながら、カメラ１４の場合、人物画像、風景画像等は通常では認識できないため、予め、それらの情報を格納する際にどのような画像パターンであるかを識別する情報を付加しておいてもよい。また、携帯電話端末１の通信機能によってダウンロードした画像に対しても、画像情報を自動あるいはマニュアルで付加してもよい。【００３０】
次に、認識された画像パターンに対する最適なγ特性の設定について、説明する。この時、画像パターンに対して、自動的に最適なγ特性を設定しても、ユーザによって好みの設定を行ってもよい。自動的に最適なγ特性を設定する場合には、予め複数の画像パターンに対して最適なγ特性を割り当てて置き、上記の認識された画像パターンと比較してγ特性を選択する。【００３１】
γ特性設定テーブル２０には、予め複数の画像パターンに対して割り当てられた最適なγ特性が格納されており、ＣＰＵ１３が画像認識ソフトウェア等を実行することで認識した画像パターンに対応するγ特性をγ特性設定テーブル２０から読出して設定することとなる。尚、最適なγ特性の設定は、上述したように、Ｒ，Ｇ，Ｂそれぞれ独立に設定することが可能で、赤味の画像等、色を補正することも可能となっている。【００３２】
最後に、設定したγ特性の表示デバイスへの表示について説明する。設定したγ特性を実現させるには、ＣＰＵ１３側でのソフト処理による表示画像データの補正、あるいは表示デバイスドライバ１７側によるハード的な表示画像データの補正によって実施する。【００３３】
つまり、携帯電話端末１のＣＰＵ１３では、上記のγ特性設定処理を行う場合、各メニュー項目を選択することで、表示する画像を選択すると（図３ステップＳ１）、表示設定をマニュアル設定で行うのか、自動設定で行うのかが判断される（図３ステップＳ２）。【００３４】
表示設定のメニュー項目に予め自動設定がチェックされていれば、ＣＰＵ１３は表示設定を自動設定で行う（自動設定モード）と判断し、まず選択された画像を上記の画像認識ソフトウェア等を実行することで認識する（図３ステップＳ３）。ＣＰＵ１３は画像認識結果に対応するγ特性の設定内容をγ特性設定テーブル２０から読出し（図３ステップＳ４）、選択された画像をγ特性設定テーブルから読出した設定内容に基づいて表示デバイス１８に表示するよう表示デバイスドライバ１７を制御する（図３ステップＳ５）。【００３５】
一方、表示設定のメニュー項目に予めマニュアル設定がチェックされていれば、ＣＰＵ１３は表示設定をカスタマイズ設定で行う（カスタマイズ設定モード）と判断し、表示デバイスドライバ１７を制御して表示デバイス１８に、図４に示すような画像種別の指定画面を表示させる。この指定画面で画像パターン（画像種別）が指定されると、ＣＰＵ１３は指定された画像パターンに対応するγ特性の設定内容をγ特性設定テーブル２０から読出し（図３ステップＳ６）、選択された画像をγ特性設定テーブルから読出した設定内容に基づいて表示デバイス１８に表示するよう表示デバイスドライバ１７を制御する（図３ステップＳ５）。【００３６】
このように、本実施例では、携帯電話端末１に表示する画像によって、γ特性を最適値に設定することで、より高品位な表示性能を実現することができる。また、本実施例では、表示する画像の表示設定をユーザがカスタマイズすることで、ユーザの好みに即した表示品位を実現することができる。【００３７】
図５は本発明の第２の実施例による携帯電話端末１の表示デバイスにおける表示画面エリアを示す図である。本発明の第２の実施例による携帯電話端末は、上記の図１に示す本発明の第１の実施例による携帯電話端末１と同様の構成となっているが、表示デバイス１８の表示画面が文字情報と、カメラ画像や電子メールに添付された添付画像等の表示画像とにそれぞれ分割される点で本発明の第１の実施例と異なっている。【００３８】
上記のように表示画像データが複数に分割される場合、携帯電話端末１では、それぞれの表示画面エリア１８ａ，１８ｂ毎に、表示画像を認識し、上述したγ特性設定処理と同様に、それぞれ最適なγ特性を設定する。例えば、ブラウザを表示する場合には、画像とテキストとを認識し、それぞれの表示エリア１８ａ，１８ｂで最適なγ特性を設定する。【００３９】
これによって、本実施例では、複数の表示エリア１８ａ，１８ｂ毎により高品位な表示性能を実現することができ、複数の表示エリア１８ａ，１８ｂ毎に表示する画像の表示設定をユーザがカスタマイズすることで、ユーザの好みに即した表示品位を複数の表示エリア１８ａ，１８ｂそれぞれに実現することができる。尚、ブラウザを表示する場合には、画像とテキストとをそれぞれ認識し、それぞれの表示エリアで最適なγ特性を設定することも可能である。【００４０】
図６は本発明の第３の実施例による携帯電話端末におけるγ特性設定処理を示すフローチャートである。本発明の第３の実施例による携帯電話端末は、上記の図１に示す本発明の第１の実施例による携帯電話端末１と同様の構成となっているが、大分類から小分類まで階層化されたメニュー構成において、選択されたメニュー項目に応じてγ特性設定を行うようにした点で本発明の第１の実施例と異なっている。尚、図６に示す処理は携帯電話端末１のＣＰＵ１３がメモリ１６に蓄積されたプログラムを実行することで実現される。【００４１】
つまり、携帯電話端末１のＣＰＵ１３では、上記のγ特性設定処理を行う場合、メニューから操作項目を選択し（図６ステップＳ１１）、その操作項目がカメラや画像のダウンロードの場合（図６ステップＳ１２）、それらの画像に付加された画像識別情報を認識する（図６ステップＳ１３）。【００４２】
ＣＰＵ１３は画像識別情報の認識結果に対応するγ特性の設定内容をγ特性設定テーブル２０から読出し（図６ステップＳ１４）、選択された操作項目に対応する画像をγ特性設定テーブル２０から読出した設定内容に基づいて表示デバイス１８に表示するよう表示デバイスドライバ１７を制御する（図６ステップＳ１５）。【００４３】
一方、選択された操作項目が電子メールやブラウザの検索の場合（図６ステップＳ１２）、ＣＰＵ１３は文字情報に対応するγ特性の設定内容をγ特性設定テーブル２０から読出し（図６ステップＳ１６）、選択された操作項目に対応する画像（この場合、文字情報）をγ特性設定テーブル２０から読出した設定内容に基づいて表示デバイス１８に表示するよう表示デバイスドライバ１７を制御する（図６ステップＳ１５）。【００４４】
このように、本実施例では、選択する操作項目に応じて表示する画像（文字情報、人物画像、風景画像、文字や画像の混在表示画像等）毎にγ特性を最適値に設定することで、より高品位な表示性能を持たせることができる。【００４５】
図７は本発明の第４の実施例による携帯電話端末の構成を示すブロック図である。図７において、本発明の第４の実施例による携帯電話端末１ａは、照度センサ２１を設け、それに対応するγ特性設定テーブルをγ特性設定テーブル２０に追加したγ特性設定テーブル２０ａとした以外は、図１に示す本発明の第１の実施例による携帯電話端末１と同様の構成となっており、同一構成要素には同一符号を付してある。また、同一構成要素の動作は本発明の第１の実施例と同様である。【００４６】
照度センサ２１は外光の照度情報を検知するデバイスであり、表示デバイス１８の内部あるいは外部に配設することが可能である。本実施例では、照度センサ２１で検知される外光の照度情報を利用し、外光が強い場合でも視認し易くするためのγ特性を設定する。これによって、本実施例では、使用環境（室内または室外等）に対して、表示する画像によって、γ特性を最適値に設定することで、より高品位な表示性能を実現することができる。【００４７】
図８は図７のγ特性設定テーブル２０ａの構成を示す図である。図８において、γ特性設定テーブル２０ａには図２に示すテーブルに加えて、照度情報とγ特性設定値とが格納されている。例えば、γ特性設定テーブル２０ａにおいては、照度情報が予め設定された規定値１以下の場合に、γ特性設定値として「初期値のγ特性」が格納されている。また、γ特性設定テーブル２０ａにおいては、照度情報が予め設定された規定値１，２の範囲内の場合に、γ特性設定値として「コントラストを強調するγ特性」が格納されている。【００４８】
屋外使用時には、外光によって視認性の低下を防止するため、照度情報が規定値１，２の範囲内の場合に、コントラストを強調するようなγ特性の設定を行うようにしている。この場合、照度センサ２１を設けているので、照度センサ２１で検知される外光（照度情報）に連動して自動的にγ特性を設定しているが、マニュアルでも外光の視認性を上げるためのγ特性をユーザが設定することができる。また、照度情報が規定値２以上の場合には、さらにコントラストを強調するようなγ特性の設定を行ってもよい。【００４９】
図９は本発明の第４の実施例による携帯電話端末１ａにおけるγ特性設定処理を示すフローチャートである。これら図７〜図９を参照して本発明の第４の実施例による携帯電話端末１ａにおけるγ特性設定処理について説明する。尚、図３に示す処理は携帯電話端末１のＣＰＵ１３がメモリ１６に蓄積されたプログラムを実行することで実現される。【００５０】
携帯電話端末１のＣＰＵ１３では、上記のγ特性設定処理を行う場合、表示する画像を選択すると（図９ステップＳ２１）、表示設定をマニュアル設定で行うのか、自動設定で行うのかが判断される（図９ステップＳ２２）。【００５１】
表示設定のメニュー項目に予め自動設定がチェックされていれば、ＣＰＵ１３は表示設定を自動設定で行う（自動設定モード）と判断し、まず選択された画像を上記の画像認識ソフトウェア等を実行することで認識する（図９ステップＳ２３）。ＣＰＵ１３は画像認識結果に対応するγ特性の設定内容をγ特性設定テーブル２０ａから読出す（図９ステップＳ２４）。【００５２】
一方、表示設定のメニュー項目に予めマニュアル設定がチェックされていれば、ＣＰＵ１３は表示設定をカスタマイズ設定で行う（カスタマイズ設定モード）と判断し、表示デバイスドライバ１７を制御して表示デバイス１８に、図４に示すような画像種別の指定画面を表示させる。この指定画面で画像パターン（画像種別）が指定されると、ＣＰＵ１３は指定された画像パターンに対応するγ特性の設定内容をγ特性設定テーブル２０ａから読出す（図９ステップＳ２６）。【００５３】
続いて、ＣＰＵ１３は照度センサ２１で検知された照度情報が上記の規定値以下の場合（図９ステップＳ２６）、選択された画像をγ特性設定テーブル２０ａから読出した設定内容に基づいて表示デバイス１８に表示するよう表示デバイスドライバ１７を制御する（図９ステップＳ２７）。【００５４】
ＣＰＵ１３は照度センサ２１で検知された照度情報が上記の規定値以上の場合（図９ステップＳ２６）、選択された画像をγ特性設定テーブルから読出した設定内容とコントラスト情報とに基づいて表示デバイス１８に表示するよう表示デバイスドライバ１７を制御する（図９ステップＳ２８）。【００５５】
このように、本実施例では、使用環境（室内または室外等）に対して、表示する画像によって、γ特性を最適値に設定することで、より高品位な表示性能を実現することができる。【００５６】
尚、本発明は、上述した各実施例の実施態様のみに限定されるものではなく、各実施例を組み合わせて実施することも可能である。
【図面の簡単な説明】
【００５７】
【図１】本発明の第１の実施例による携帯電話端末の構成を示すブロック図である。
【図２】図１のγ特性設定テーブルの構成を示す図である。
【図３】本発明の第１の実施例による携帯電話端末におけるγ特性設定処理を示すフローチャートである。
【図４】図３に示すフローにおいてγ特性をマニュアル設定する場合の画像種別の指定画面を示す図である。
【図５】本発明の第２の実施例による携帯電話端末の表示デバイスにおける表示画面エリアを示す図である。
【図６】本発明の第３の実施例による携帯電話端末におけるγ特性設定処理を示すフローチャートである。
【図７】本発明の第４の実施例による携帯電話端末の構成を示すブロック図である。
【図８】図７のγ特性設定テーブルの構成を示す図である。
【図９】本発明の第４の実施例による携帯電話端末におけるγ特性設定処理を示すフローチャートである。
【符号の説明】
【００５８】
１，１ａ  携帯電話端末
１１  アンテナ
１２  無線通信部
１３  ＣＰＵ
１４  カメラ
１５  操作部
１６  メモリ
１７  表示デバイスドライバ
１８  表示デバイス
１９  画像メモリ
２０，２０ａ  γ特性設定テーブル
２１  照度センサ
【図１】
2007099944.tif 000003
【図２】
2007099944.tif 000004
【図３】
2007099944.tif 000005
【図４】
2007099944.tif 000006
【図５】
2007099944.tif 000007
【図６】
2007099944.tif 000008
【図７】
2007099944.tif 000009
【図８】
2007099944.tif 000010
【図９】
2007099944.tif 000011
【国際調査報告】
2007099944.tif 000012
2007099944.tif 000013
2007099944.tif 000014
2007099944.tif 000015
2007099944.tif 000016
2007099944.tif 000017
2007099944.tif 000018
2007099944.tif 000019